(57)【要約】【課題】【解決手段】本発明は、レンズが結合可能なメガネフレームと、メガネフレームのヒンジ孔に回動可能に挿合されるヒンジ軸と、前記ヒンジ軸の端部から一側に伸びる第１延長部と、前記第１延長部の端部から上方に伸びる第２延長部と、前記第２延長部と連結され、メガネフレームの前面又は側面に支持されることができる第１支持部と、前記第１支持部から折り曲げられる形態で連結され、メガネフレームの側面又は後面に支持されることができる第２支持部と含み、ヒンジ軸による第１領域での支持と、第２延長部及び第１支持部による第２領域での支持と、第２支持部による第３領域での支持がなされることを特徴とするメガネ及びこれに取り付けられるメガネつるを提供する。【選択図】図１
2019530891.tif 000002
【特許請求の範囲】
【請求項１】
レンズが結合可能なメガネフレームと、
メガネフレームのヒンジ孔に回動可能に挿合されるヒンジ軸と、
前記ヒンジ軸の端部から一側に伸びる第１延長部と、
前記第１延長部の端部から上方に伸びる第２延長部と、
前記第２延長部と連結され、メガネフレームの前面又は側面に支持されることができる第１支持部と、
前記第１支持部から折り曲げられる形態で連結され、メガネフレームの側面又は後面に支持されることができる第２支持部と含み、
ヒンジ軸による第１領域での支持と、第２延長部及び第１支持部による第２領域での支持と、第２支持部による第３領域での支持がなされることを特徴とする、メガネ。
【請求項２】
前記ヒンジ軸と前記第２延長部は左右方向に互いに離隔するように形成され、
前記第１延長部と前記第１支持部は上下方向に互いに離隔するように形成され、
前記第１支持部と前記ヒンジ軸は前後方向に互いに離隔するように形成されることを特徴とする、請求項１に記載のメガネ。
【請求項３】
前記ヒンジ軸と前記第２延長部は互いに離隔して平行に配置され、
第２延長部は、メガネつるの回動時、第１延長部と前記第１支持部間のねじれに対する弾性抑制力又は弾性復元力を提供するトーションバーであることを特徴とする、請求項１に記載のメガネ。
【請求項４】
平面図上で第１延長部と前記第１支持部の間には第１傾斜角が形成され、
第１支持部と第２支持部の間には第２傾斜角が形成され、
前記第１延長部及び前記第２延長部間の弾性変形、前記第２延長部と前記第１支持部間の弾性変形、及び前記第１支持部と前記第２支持部間の弾性変形によって、前記第１傾斜角及び前記第２傾斜角がメガネつるを広げる過程又は折り畳む過程で一時変わることを特徴とする、請求項３に記載のメガネ。
【請求項５】
前記メガネフレームは、前面部と、側面係止溝と、後面係止溝と、前面部と側面係止溝間の第１角部と、側面係止溝と後面係止溝間の第２角部とを備え、
ヒンジ軸の中心から前面部までの距離、ヒンジ軸の中心から側面係止溝までの距離、及びヒンジ軸の中心から後面係止溝までの距離は互いに同一であり、
ヒンジ軸中心から第１角部までの距離及びヒンジ軸中心から第２角部までの距離は互いに同一であり、
ヒンジ軸中心から第１角までの距離及びヒンジ軸中心から第２角までの距離がヒンジ軸の中心から前面部までの距離、ヒンジ軸の中心から側面係止溝までの距離、及びヒンジ軸の中心から後面係止溝までの距離より大きく形成され、
メガネつるを折り畳むか広げる場合、第１及び第２角部が抵抗として作用して、第１延長部の弾性ねじれ変形による弾性復元力及び第１支持部及び第２支持部間の間隔又は傾斜角の弾性変形による弾性復元力を引き起こすことを特徴とする、請求項１に記載のメガネ。
【請求項６】
上下方向に配列されるヒンジ軸と、
前記ヒンジ軸の端部から一側に伸びる第１延長部と、
前記第１延長部の端部からヒンジ軸の延長方向と反対方向に伸びる第２延長部と、
前記第２延長部の一端部と連結され、第２延長部の延長方向と交差する方向に伸びる第１支持部と、
前記第１支持部から折り曲げられる形態で連結され、第１支持部より後方に伸びる方向に配置される第２支持部と含み、
ヒンジ軸による第１領域での支持と、第２延長部及び第１支持部による第２領域での支持と、第２支持部による第３領域での支持を具現することができることを特徴とする、メガネつる。
【請求項７】
前記ヒンジ軸と前記第２延長部は左右方向に互いに離隔するように形成され、
前記第１延長部と前記第１支持部は上下方向に互いに離隔するように形成され、
前記第１支持部と前記ヒンジ軸は前後方向に互いに離隔するように形成されることを特徴とする、請求項６に記載のメガネつる。
【請求項８】
前記ヒンジ軸と前記第２延長部は互いに離隔して平行に配置され、
第２延長部は、メガネつるの回動時、第１延長部と前記第１支持部間のねじれに対する弾性抑制力又は弾性復元力を提供するトーションバーであることを特徴とする、請求項６に記載のメガネつる。
【請求項９】
平面図上で第１延長部と前記第１支持部の間には第１傾斜角が形成され、
第１支持部と第２支持部の間には第２傾斜角が形成され、
前記第１延長部及び前記第２延長部間の弾性変形、前記第２延長部と前記第１支持部間の弾性変形及び前記第１支持部と前記第２支持部間の弾性変形によって、前記第１傾斜角及び前記第２傾斜角がメガネつるを広げる過程又は折り畳む過程で一時変わることを特徴とする、請求項８に記載のメガネつる。
【請求項１０】
ヒンジ軸の中心から第１支持部までの距離及びヒンジ軸の中心から第２支持部までの距離は互いに同一であり、
ヒンジ軸中心から第１支持部及び第２支持部の折曲部までの距離がヒンジ軸の中心から第１支持部までの距離及びヒンジ軸の中心から第２支持部までの距離より大きく形成され、
メガネつるを折り畳むか広げる場合、第１支持部及び第２支持部が所定の係止可能な抵抗領域にかかるとき、第１延長部の弾性ねじれ変形による弾性復元力及び第１支持部及び第２支持部間の間隔又は傾斜角の弾性変形による弾性復元力が引き起こされることを特徴とする、請求項１に記載のメガネつる。
【発明の詳細な説明】
【技術分野】
【０００１】
本発明はヒンジ構造を有するメガネつるを備えたメガネ及びこれに装着されるメガネつるに関し、より詳しくはメガネつるが折り畳まれるか広げられた状態を安定的に維持することができ、単純な構成でもメガネつるとメガネフレームを連結することができるメガネに関する。
【背景技術】
【０００２】
メガネフレームにメガネつるを回動可能に取り付ける場合、従来にはメガネつるの端部をメガネフレーム側部に回動可能に支持するボルト、ヒンジのような別途の締結部材を使った。この場合、別途の締結部材が必要であるから、コストが上昇し、締結部材を用いてメガネフレームとメガネつるを組み立てる工程が必要であった。
【０００３】
このような問題を解決するために、大韓民国登録実用新案第２０−０１７４１６５号に開示されているように、メガネつるの前端部を折り曲げてメガネフレームに挿入して回動可能に支持するようにする技術が現れた。
【０００４】
大韓民国登録実用新案第２０−０１７４１６５号の図７に示されているように、メガネつるを折り曲げたヒンジ突部をメガネフレームのヒンジ孔に差し込み、その状態でメガネつるを折り畳むとか広げるとかすることができた。
【０００５】
ところが、このような場合、メガネつるが広げられたとき、メガネつるがメガネフレームに支持される面が１面（側面）しかないから、メガネつるに外方にの過度な外力が加わる場合、支持される１面の領域のみでメガネつるの配置位置の変更を防止しにくいという問題点があった。
【先行技術文献】
【特許文献】
【０００６】
【特許文献１】大韓民国登録実用新案第２０−０１７４１６５号公報
【発明の概要】
【発明が解決しようとする課題】
【０００７】
本発明はこのような問題点を解決するためになされたもので、メガネつるが広げられた状態で外部から過度な外力が加わる場合にもメガネつるが広げられた配置状態を安定的に維持し、メガネつるの変形を防止することができるメガネを提供することにその目的がある。
【０００８】
また、本発明はメガネつるが折り畳まれた状態及び広げられた状態を安定的に維持するようにして、使用者の意思に反するメガネつるの破損を防止することができるメガネを提供することに他の目的がある。
【課題を解決するための手段】
【０００９】
このような目的を達成するための本発明は、レンズが結合可能なメガネフレームと、メガネフレームのヒンジ孔に回動可能に挿合されるヒンジ軸と、前記ヒンジ軸の端部から一側に伸びる第１延長部と、前記第１延長部の端部から上方に伸びる第２延長部と、前記第２延長部と連結され、メガネフレームの前面又は側面に支持されることができる第１支持部と、前記第１支持部から折り曲げられる形態で連結され、メガネフレームの側面又は後面に支持されることができる第２支持部と含み、ヒンジ軸による第１領域での支持と、第２延長部及び第１支持部による第２領域での支持と、第２支持部による第３領域での支持がなされることを特徴とするメガネを提供する。
【００１０】
前記ヒンジ軸と前記第２延長部は左右方向に互いに離隔するように形成され、前記第１延長部と前記第１支持部は上下方向に互いに離隔するように形成され、前記第１支持部と前記ヒンジ軸は前後方向に互いに離隔するように形成されることを特徴とする。
【００１１】
前記ヒンジ軸と前記第２延長部は互いに離隔して平行に配置され、第２延長部は、メガネつるの回動時、第１延長部と前記第１支持部間のねじれに対する弾性抑制力又は弾性復元力を提供するトーションバーであることを特徴とする。
【００１２】
平面図上で第１延長部と前記第１支持部の間には第１傾斜角が形成され、第１支持部と第２支持部の間には第２傾斜角が形成され、前記第１延長部及び前記第２延長部間の弾性変形、前記第２延長部と前記第１支持部間の弾性変形、及び前記第１支持部と前記第２支持部間の弾性変形によって、前記第１傾斜角及び前記第２傾斜角がメガネつるを広げる過程又は折り畳む過程で一時変わることを特徴とする。
【００１３】
前記メガネフレームは、前面部と、側面係止溝と、後面係止溝と、前面部と側面係止溝間の第１角部と、側面係止溝と後面係止溝間の第２角部とを備え、ヒンジ軸の中心から前面部までの距離、ヒンジ軸の中心から側面係止溝までの距離、及びヒンジ軸の中心から後面係止溝までの距離は互いに同一であり、ヒンジ軸中心から第１角部までの距離及びヒンジ軸中心から第２角部までの距離は互いに同一であり、ヒンジ軸中心から第１角までの距離及びヒンジ軸中心から第２角までの距離がヒンジ軸の中心から前面部までの距離、ヒンジ軸の中心から側面係止溝までの距離、及びヒンジ軸の中心から後面係止溝までの距離より大きく形成され、メガネつるを折り畳むか広げる場合、第１及び第２角部が抵抗として作用して、第１延長部の弾性ねじれ変形による弾性復元力及び第１支持部及び第２支持部間の間隔又は傾斜角の弾性変形による弾性復元力を引き起こすことを特徴とする。
【００１４】
また、本発明は、上下方向に配列されるヒンジ軸と、前記ヒンジ軸の端部から一側に伸びる第１延長部と、前記第１延長部の端部からヒンジ軸の延長方向と反対方向に伸びる第２延長部と、前記第２延長部の一端部と連結され、第２延長部の延長方向と交差する方向に伸びる第１支持部と、前記第１支持部から折り曲げられる形態で連結され、第１支持部より後方に伸びる方向に配置される第２支持部と含み、ヒンジ軸による第１領域での支持と、第２延長部及び第１支持部による第２領域での支持と、第２支持部による第３領域での支持を具現することができることを特徴とするメガネつるを提供する。
【００１５】
前記ヒンジ軸と前記第２延長部は左右方向に互いに離隔するように形成され、前記第１延長部と前記第１支持部は上下方向に互いに離隔するように形成され、前記第１支持部と前記ヒンジ軸は前後方向に互いに離隔するように形成されることを特徴とする。
【００１６】
前記ヒンジ軸と前記第２延長部は互いに離隔して平行に配置され、第２延長部は、メガネつるの回動時、第１延長部と前記第１支持部間のねじれに対する弾性抑制力又は弾性復元力を提供するトーションバーであることを特徴とする。
【００１７】
平面図上で第１延長部と前記第１支持部の間には第１傾斜角が形成され、第１支持部と第２支持部の間には第２傾斜角が形成され、前記第１延長部及び前記第２延長部間の弾性変形、前記第２延長部と前記第１支持部間の弾性変形及び前記第１支持部と前記第２支持部間の弾性変形によって、前記第１傾斜角及び前記第２傾斜角がメガネつるを広げる過程又は折り畳む過程で一時変わることを特徴とする。
【００１８】
ヒンジ軸の中心から第１支持部までの距離及びヒンジ軸の中心から第２支持部までの距離は互いに同一であり、ヒンジ軸中心から第１支持部及び第２支持部の折曲部までの距離がヒンジ軸の中心から第１支持部までの距離及びヒンジ軸の中心から第２支持部までの距離より大きく形成され、メガネつるを折り畳むか広げる場合、第１支持部及び第２支持部が所定の係止可能な抵抗領域にかかるとき、第１延長部の弾性ねじれ変形による弾性復元力及び第１支持部及び第２支持部間の間隔又は傾斜角の弾性変形による弾性復元力が引き起こされることを特徴とする。
【発明の効果】
【００１９】
このような本発明によれば、細い金属からなったメガネつるの先端部が直接メガネフレームと回動可能に連結され、蝶番やネジなどの部品が不必要であって軽量化を追い求めることができ、組立部品を減少させ、組立性を改善してコストを減らすことができるものである。
【００２０】
一方、メガネつるには多数の領域で弾性復元力を提供することができるので、メガネつるがメガネフレームに対して広げられた状態又は折り畳まれた状態になった場合、その状態を安定的に維持することができる。
【００２１】
特に、トーションバーとして機能する第２延長部が第１傾斜角を維持しようとする弾性復元力を提供し、また第１支持部と第２支持部間の第２傾斜角を維持しようとする弾性復元力を第１支持部と第２支持部間の折曲領域によって提供し、メガネつるを折り畳むか広げようとする外力が加われ、第１支持部が第１角部と接触する場合及び第２支持部が第２角部と接触する場合、外力が前記弾性復元力を克服することができなければ、メガネつるが元の状態（折り畳まれた状態又は広げられた状態）を持続的に維持しようとするので、メガネつるの状態を安定的に維持することができる。
【００２２】
また、チューブを備えることにより、メガネフレームとメガネつるが異種素材からなる場合、これら間の摩耗を防止し、メガネつるを安定的にメガネフレームに回動可能に支持することができる。
【図面の簡単な説明】
【００２３】
【図１】本発明のメガネフレームにおいてメガネつるが分解される状態を示した斜視図である。
【図２】本発明のメガネつるの斜視図である。
【図３】本発明のメガネつるの正面図である。
【図４】本発明のメガネつるの底面図及び平面図である。
【図５】本発明のメガネつるの右側面図及び左側面図である。
【図６】本発明の平面図である。
【図７】本発明の側面図である。
【図８】本発明の一部拡大正面図である。
【図９】本発明の要部構成が分解される状態を拡大した図である。
【図１０】本発明のメガネつるが広げられた状態の平面図である。
【図１１】本発明のメガネつるが折り畳まれた状態の平面図である。
【図１２】本発明のメガネつるが広げられた状態の拡大平断面図である。
【図１３】本発明のメガネつるが展開状態から折畳状態に転換される中間位置を示した拡大平断面図である。
【図１４】本発明のメガネつるが折り畳まれた状態の拡大平断面図である。
【図１５（ａ）】本発明によるメガネつるにおいてヒンジ軸と第１及び第２支持部間の間隔を示す平面図である。
【図１５（ｂ）−１５（ｄ）】本発明によるメガネつるがメガネフレームに結合された状態での支持される領域及び支持力となる弾性復元力が加わる方向を示す平面図である。
【発明を実施するための形態】
【００２４】
本発明は多様に変更することができ、さまざまな実施例を有することができるが、ここでは特定の実施例を図面に例示して説明しようとする。
【００２５】
しかし、これは本発明を特定の実施形態に限定しようとするものではなく、本発明の思想及び技術範囲に含まれる全ての変更、均等物乃至代替物を含むものと理解されなければならない。
【００２６】
第１、第２などの序数を含む用語を多様な構成要素を説明するのに使うことができるが、前記構成要素は前記用語によって限定されない。
【００２７】
前記用語は一構成要素を他の構成要素と区別する目的のみで使われる。
【００２８】
例えば、本発明の権利範囲を逸脱しない範疇内で第２構成要素は第１構成要素と名付けられることができ、同様に第１構成要素も第２構成要素と名付けられることができる。
【００２９】
及び／又はという用語は複数の関連した項目の組合せ又は複数の関連した項目のいずれか項目を含む。
【００３０】
ある構成要素が他の構成要素に“連結されている”とか“接続されている”と言及された場合には、その他の構成要素に直接連結されているとか又は接続されていることもあるが、中間にさらに他の構成要素が存在することもあると理解されなければならないであろう。
【００３１】
一方、ある構成要素が他の構成要素に“直接連結されている”とか“直接接続されている”と言及された場合には、中間にさらに他の構成要素が存在しないと理解されなければならないであろう。
【００３２】
本出願で使用した用語はただ特定の実施例を説明するために使用したももので、本発明を限定しようとする意図ではない。
【００３３】
単数の表現は文脈上特に他の指示がない限り、複数の表現を含む。
【００３４】
本出願で、“含む”又は“有する”などの用語は明細書上に記載した特徴、数字、段階、動作、構成要素、部品又はこれらの組合せが存在することを示そうとするものであるだけ、一つ又はそれ以上の他の特徴、数字、段階、動作、構成要素、部品又はこれらの組合せなどの存在又は付加の可能性を予め排除しないものと理解されなければならない。
【００３５】
以下、添付図面に基づいて実施例を詳細に説明する。図面全般にわたり、同一であるとか対応する構成要素は同じ参照符号を付け、これについての重複説明は省略する。
【００３６】
図１に示すように、本発明によるメガネは、レンズが結合されるメガネフレーム１０と、メガネフレーム１０の側面に回動可能に連結され、広げられるか折り畳まれることができるメガネつる２０とを含む。
【００３７】
メガネフレーム１０は通常金属素材又は合成樹脂素材からなり、メガネつる２０も金属素材又は合成樹脂素材からなることができる。
【００３８】
メガネフレーム１０の側部にはメガネつる２０が回動可能に取り付けられる取付部１１が備えられ、取付部１１はメガネフレーム１０の外側に突出するように構成されることが好ましい。
【００３９】
取付部１１の下面（又は上面）にはヒンジ孔１１ａを備える。
【００４０】
ヒンジ孔１１ａには、メガネつる２０を構成するヒンジ軸２３、及びヒンジ軸２３を取り囲み、ヒンジ軸２３とヒンジ孔１１ａの内面間の直接的な接触を防止するチューブ３０が備えられることができる。
【００４１】
すなわち、ヒンジ孔１１ａの内面にチューブ３０が挿入され、チューブ３０の内部にヒンジ軸２３が挿入されることで、メガネつる２０の回動支持を具現する。
【００４２】
メガネつる２０の具体的な構成要素について説明する。
【００４３】
メガネつる２０は、完全に広げられた状態を基準にして、メガネフレーム１０（又は取付部１１）の前面に接触して支持され、左右方向（水平方向）に配列される第１支持部２１と、第１支持部２１に対して後方に折り曲げられ、メガネフレーム１０（又は取付部１１）の側面に接触して支持され、前後方向に配列される第２支持部２２とを含む。
【００４４】
第２支持部２２の後方には、強度補強及び外力の印加時の緩衝のためのコイル部２５が備えられ、コイル部２５の後方には使用者の頭部の側面及び耳にかかる掛け部２８が備えられる。
【００４５】
一方、メガネつる２０は、その端部を構成するヒンジ軸２３の下端部（又は上端部）から一方向に伸びて左右方向（水平方向）に配置される第１延長部２６と、第１延長部２６の一端部から上下方向に伸びる垂直柱状又は垂直バー状のトーションバー（ｔｏｒｓｉｏｎ  ｂａｒ）の機能をする第２延長部２７とをさらに含む。
【００４６】
第２延長部２７の一端部は第１支持部２１と連結され、第２延長部２７と第１支持部２１は弾性変形可能に連結される。弾性変形可能に連結される領域は、ヒンジ軸２３と第１延長部２６間の領域、第１延長部２６と第２延長部２７間の領域及び第１支持部２１と第２支持部２２間の領域である。
【００４７】
図２〜図５はメガネつる２０の具体的な状態を示す図である。
【００４８】
図２及び図３に示すように、ヒンジ軸２３は上下方向に配置されており、第１延長部２６はヒンジ軸２３の下端部から一方向に伸びるように配列され、第２延長部２７は第１延長部２６の一端部から上方に伸びており、第１支持部２１は第２延長部２７の上端部から他方向（第１延長部２６が伸びる方向と全体的に見て反対方向）に伸びるように配列され、第２支持部２２は第１支持部２１の端部から後方に伸びて配列される。
【００４９】
一方、ヒンジ軸２３と第１支持部２１及び第２支持部２２の間は離隔している。
【００５０】
一方、ヒンジ軸２３と第２延長部２７は左右方向又は側方に離隔している。これは正面から見れば明らかに現れる。
【００５１】
第１支持部２１と第１延長部２６は上下方向に離隔して配置され、図３に示すように、これらの配置状態を前面から見ると、‘ロ’字形を具現している。
【００５２】
図４（ａ）はメガネつるを下側から見た図、図４（ｂ）はメガネつるを上側から見た図である。
【００５３】
図４（ａ）及び図４（ｂ）に示すように、第１支持部２１と第１延長部２６は互いに直接連結されてはいないが、第２延長部２７を介して間接的に連結される。
【００５４】
これを上側又は下側から見た場合、第１支持部２１と第１延長部２６は互いに重ならず、第２延長部２７が位置する部分を頂点として互いに傾くように配置される。
【００５５】
すなわち、第１支持部２１が水平状態を維持し、第１延長部２６が第１支持部２１に対して所定の傾斜角で傾いた状態を維持することができるものである。ただ、この関係はメガネフレーム１０の状態によって変わることができる。すなわち、第１延長部２６が水平状態を維持し、第１支持部２１が第１延長部２６に対して所定の傾斜角で傾いた状態を維持することもできる。
【００５６】
ここで、第１支持部２１と第１延長部２６間の傾斜角は鋭角を維持することが好ましい。
【００５７】
一方、第１支持部２１と第２支持部２２も互いに折り曲げられて傾いた状態を維持する。すなわち、第１支持部２１が水平状態を維持した状態で第２支持部２２は第１支持部２１の端部から折り曲げられて後方に伸びる状態となり、これによって第１支持部２１と第２支持部２２が互いに傾いた状態となる。
【００５８】
ここで、第１支持部２１と第２支持部２２間の傾斜角は鈍角となることが好ましい。
【００５９】
図５（ａ）はメガネつる２０の左側面図、図５（ｂ）は右側面図である。
【００６０】
図５に示すように、第２延長部２７はヒンジ軸２３より前方に配置され、ヒンジ軸２３の下端部と第２延長部２７の下端部が第１延長部２６を介して連結される。
【００６１】
ヒンジ軸２３の上端部はその高さが第１支持部２１及び第２支持部２２の上端領域まで至るように配置されることにより、メガネつる２０を前方から見たときは、図３のように、ヒンジ軸２３の上端部が第１支持部２１と重なり、メガネつる２０を側面から見た場合には、図５に示すように、ヒンジ軸２３の上端部が第２支持部２２と重なって見える。
【００６２】
第２支持部２２の後方にコイル部２５が備えられ、コイル部２５の後方に掛け部２８が備えられるから、第２支持部２２の高さと掛け部２８の高さの間に差があるように配置される。
【００６３】
図６及び図７に示すように、メガネつる２０がメガネフレーム１０に対して広げられた状態を維持する場合、メガネつる２０は、ヒンジ軸２３がヒンジ孔１３及びチューブ３０によって１次的に支持される。
【００６４】
そして、第２延長部２７及び第１支持部２１がメガネフレーム１０（又は取付部１１）の前面に接触して２次的に支持され、第２支持部２２がメガネフレーム１０（又は取付部１１）の側面に接触して３次的に支持される。
【００６５】
したがって、本発明によれば、メガネつる２０がメガネフレーム１０に対して３領域でそれぞれ支持されるので、メガネフレーム１０に対する姿勢がより安定的に維持されることができる。
【００６６】
特に、図６に示したように、外方にメガネつる２０が広げられる場合、第２支持部２２がメガネフレーム１０（又は取付部１１）の側面によって支持され、さらに第１支持部２１がメガネフレーム１０（又は取付部１１）の前面によって支持されることで、外方に変形されることを防止することができる。
【００６７】
また、位置が固定されるヒンジ軸２３と位置が変わることができる第１支持部２１の間にある第１延長部２６及び第２延長部２７の弾性復元力及び抑制力によってメガネつる２０が外方に変形されることを防止することができる。
【００６８】
特に、第２延長部２７の場合、ヒンジ軸２３と連結されている第１延長部２６が第２延長部２７の下端に連結され、第１支持部２１がその上端に連結されている。メガネつる２０が外方に広げられれば、第１支持部２１はちょっと前方に動こうとするが、ヒンジ軸２３及びこれと連結された第１延長部２６はその位置を維持しようとするから、第２延長部２７の上端部は第１支持部２１に従って回転しようとし、下端部は第１延長部２６のようにその位置を維持しようとするか、さらに第１延長部２６が引っぱる力によって相対的に第２延長部２７の上端部の回転方向の反対方向に回転しようとするから、第２延長部２７が全体的にねじれる。
【００６９】
ところが、第２延長部２７のねじれ抵抗によって上端部の回転運動が最大限抑制され、このような抑制力によってメガネつる２０が外方に変形されて反らされることを防止することができるものである。このような観点で、第２延長部２７はメガネつる２０の外方に反らされること又は変形を防止する一種のトーションバー（ｔｏｒｓｉｏｎ  ｂａｒ）の役割をする。
【００７０】
図８及び図９に示すように、メガネフレーム１０（又は取付部１１）の側面には、メガネつるの広げられた状態を維持するための側面係止溝１２が備えられる。メガネつる２０が広げられた状態では第２支持部２２が側面係止溝１２に挿入されてかかる。
【００７１】
一方、メガネつる２０が広げられた状態で第１延長部２６はメガネフレーム１０（又は取付部１１）の表面から離隔しており、第２延長部２７の下部領域はメガネフレーム１０（又は取付部１１）の表面から離隔しており、第２延長部２７の上部領域はメガネフレーム１０（又は取付部１１）の表面と接触して支持され、第１支持部２１もメガネフレーム１０（又は取付部１１）の表面と接触して支持される。
【００７２】
メガネフレーム１０（又は取付部１１）に備えられるヒンジ孔１３は下部から上方に伸びるように形成され、その上部は塞がっているが、その反対の場合も可能である。
【００７３】
ヒンジ孔１３にはチューブ３０が挿入され、チューブ３０の内部に形成された挿入孔３２にヒンジ軸２３が挿入されて回動可能に支持される。
【００７４】
チューブ３０はシリコン、ゴム、又はその他の金属素材からなることができる。チューブ３０は、メガネフレーム１０とメガネつる２０が異種素材からなる場合、相互間の摩耗を防止するためにバッファーの役割をするとともに、メガネつる２０のヒンジ軸２３がメガネフレーム１０に安定的に回動可能に固定されることができるようにホルダーの役割をするものである。
【００７５】
チューブ３０の外周面の上部領域には、ヒンジ孔１３に挿入された後にその離脱を防止するために係合突起３１が形成されており、下部領域には平坦な外周部３３が備えられている。チューブ３０の上部領域でチューブ３０をヒンジ孔１３に固定させ、平坦な外周部３３の加圧によってヒンジ軸２３がその内部に回動可能に固定されることができる。
【００７６】
図１０はメガネつる２０がメガネフレーム１０に対して広げられた状態を概略的に示す図、図１１はメガネつる２０がメガネフレーム１０に対して折り畳まれた状態を概略的に示す図である。
【００７７】
図１０に示すように、メガネつる２０が広げられた状態では、ヒンジ軸２３がヒンジ孔に位置する状態で第１延長部２６は内側方に傾くように配置され、第２延長部２７及び第１支持部２１はメガネフレーム１０（又は取付部１１）の前面に接触して支持される。
【００７８】
そして、第２支持部２２は側面係止溝１２にかかって支持される状態を維持する。一方、メガネフレーム１０（又は取付部１１）の前面かあら側面係止溝１２に遷移する角部の傾斜角は第１支持部２１と第２支持部２２の間に形成される傾斜角に対応することが好ましい。
【００７９】
したがって、このような両傾斜角が同一であれば、第１支持部２１のメガネフレーム１０（又は取付部１１）の前面との密着状態及び第２支持部２２の側面係止溝１２との密着状態が同時に具現されることができる。
【００８０】
図１１に示すように、メガネつる２０が折り畳まれた状態では、ヒンジ軸２３がヒンジ孔に位置する状態で第１延長部２６は外方に傾くように配置され、第２延長部２７はメガネフレーム１０（又は取付部１１）の前面から離隔する。
【００８１】
一方、第１支持部２１の前方領域もメガネフレーム１０（又は取付部１１）の前面から離隔し、第１支持部２１の後方領域は側面係止溝１２にかかって支持される。メガネフレーム１０（又は取付部１１）の後面には側面係止溝１２から伸びる後面係止溝１４が備えられる。第２支持部２２の一部が後面係止溝１４にかかって支持される。
【００８２】
図１２〜図１４に基づき、本発明によるメガネつる２０が広げられた状態及び折り畳まれた状態とその中間状態間の状態変化及び各構成要素の位置及び相互関係の変化について説明する。
【００８３】
図１２に示すように、ヒンジ軸２３の中心からメガネフレーム１０（又は取付部１１）の前面１１ａまでの距離、ヒンジ軸２３の中心から側面係止溝１２までの距離、及びヒンジ軸２３の中心から後面係止溝１４までの距離はいずれも‘ａ’で表示され、同一である。
【００８４】
一方、ａという距離はヒンジ軸２３の中心から第１支持部２１までの距離及びヒンジ軸２３の中心から第２支持部２２までの距離と見なすことができる。
【００８５】
ヒンジ軸２３の中心から第１支持部２１までの距離及びヒンジ軸２３の中心から第２支持部２２までの距離がａの状態は、メガネつる２０が図１２及び図１４に示すように折り畳まれた最終の状態を維持するか広げられた最終の状態を維持する場合なので、構造的に安定化した状態と見なすことができる。
【００８６】
一方、前面１１ａと側面係止溝１２の間には第１角部１５が形成され、側面係止溝１２と後面係止溝１４の間には第２角部１６が形成される。
【００８７】
前面１１ａと側面係止溝１２は互いに傾くように形成され、側面係止溝１２と後面係止溝１４の間も互いに傾くように形成されるので、このように第１及び第２角部１５、１６が形成される。
【００８８】
ヒンジ軸２３の中心から第１角部１５までの距離及びヒンジ軸２３の中心から第２角部１６までの距離はｂで表示され、ｂはａより大きい値を有する。
【００８９】
第１及び第２角部１５、１６は、メガネつる２０が広げられた状態（図１２状態）から折り畳まれた状態（図１４状態）に変化するか、あるいは折り畳まれた状態から広げられた状態に変化する場合、一種の係止突起の役割をし、使用者の意図と反してメガネつる２０の状態が変わることを防止するものである。
【００９０】
使用者が第１及び第２角部１５、１６を越えることができるほどに外力を加える場合にはメガネつる２０の状態が変わることができるが、使用者の意図に反して小さな外力（メガネ自体の動き、振動、衝撃など）が加わり、その外力が第１及び第２角部１５、１６を越えることができないほどに小さければ、第１及び第２角部１５、１６が係止突起の役割をして、現在の状態を持続して維持することができるようにする。
【００９１】
図１２の状態で、第１延長部２６と第１支持部２１間の平面上の傾斜角をθ１と定義し、第１支持部２１と第２支持部２２がなす平面上の傾斜角をθ２と定義する。
【００９２】
一方、θ２は前面１１ａと側面係止溝１２間の傾斜角にもなることができ、図１４に示すように、側面係止溝１２と後面係止溝１４間の傾斜角にもなることができる。
【００９３】
図１２の状態で、ヒンジ軸２３と第１延長部２６の間、第１延長部２６と第２延長部２７の間、第２延長部２７と第１支持部２１の間、そして第１支持部２１と第２支持部２２の間には弾性復元力を持っているので、外力が加わってこれら間の配列状態又は傾斜角状態を変化させようとする場合には、自分が保有している弾性復元力によって、変化させようとする外力に抵抗する抑止力を提供し、外力がなくなれば、メガネつるが前記構成要素の配列状態及びθ１、θ２の傾斜角状態に復帰しようとする特性を有する。
【００９４】
一方、外力が加わってメガネつる２０が折り畳まれる方向に移動する場合を見ると、図１３のように、掛け部２８がメガネフレーム１０の内側に移動し、第２支持部２２が側面係止溝１２から離隔し、第２角部１６に点接触又は線接触してヒンジ軸２３の中心と第２支持部２２間の距離がａからｂに増加する。
【００９５】
また、第１支持部２１が前面１１ａから離隔し、第１角部１５に点接触又は線接触してヒンジ軸２３の中心と第１支持部２２間の距離がａからｂに増加する。
【００９６】
そして、ヒンジ軸２３が回転し、ヒンジ軸２３と連結された第１延長部２６が外方に移動し、第１延長部２６と連結された第２延長部２７も前面１１ａから離隔する。
【００９７】
この状態で、第１支持部２１が前面１１ａから離隔し、第１角部１５に点接触又は線接触してヒンジ軸２３の中心と第１支持部２２間の距離がａからｂに増加しようとする場合、これを邪魔するための弾性復元力が発生し、また、第２支持部２２が側面係止溝１２から離隔し、第２角部１６に点接触又は線接触してヒンジ軸２３の中心と第２支持部２２間の距離がａからｂに増加しようとする場合にも、これを邪魔するための弾性復元力が発生する。
【００９８】
このように位置変更が発生しようとする場合、第１傾斜角θ１と第２傾斜角θ２もそれぞれ増加しようとするが、この傾斜角を元の傾斜角θ１、θ２に維持させようとする弾性復元力が発生する。
【００９９】
ここで、弾性復元力の発生領域は、第１延長部２６−第２延長部２７−第１支持部２１間の‘コ’字形に折り曲げられた領域と、第１支持部２１−第２支持部２２間の‘Ｌ’字形に折り曲げられた領域である。
【０１００】
第１支持部２１が第１角部１５を越える場合、第１傾斜角はθ１からθ１’に増加する。上述したように、第１支持部２１からヒンジ軸２３までの距離がａからｂに増加するが、ヒンジ軸２３と第２延長部２７間の距離は第１延長部２６の長さであって一定に維持されるので、ａからｂに増えた長さに相応する角度だけ第１傾斜角がθ１からθ１’に弾性変形して増加する。
【０１０１】
また、第２支持部２２が第２角部１６を越える場合、第２傾斜角はθ２からθ２’に増加し、第１支持部２１と第２支持部２２間の間隔又は傾斜角が一時弾性変形して増加する。
【０１０２】
一方、メガネつる２０の位置を変更するために外部から加わる衝撃又は振動の大きさがこの弾性復元力より小さな場合、第１支持部２１は第１角部１５を越えることができなく、第２支持部２２は第２角部を越えることができなく、弾性復元力によって元の位置に復帰する。
【０１０３】
特に、第２延長部２７の場合、第１延長部２６と連結された下端部はねじれないか、ひいては上端部のねじれ方向と反対方向にねじれる。第１支持部２１と連結される上端部はａからｂに増加する距離量に対応するねじれ角度増加量（θ１’−θ１）だけねじれ、第２延長部２７が有するねじれ抵抗を付与する弾性復元力が第１支持部２１が第１角部１５を越えるのに抵抗として作用することができる。
【０１０４】
そして、第１支持部２１と第２支持部２２間の元の第２傾斜角θ２を維持しようとする弾性復元力も、第１支持部２１が第１角部１５を越えるのに抵抗として作用し、第２支持部２２が第２角部１６を越えるのに抵抗として作用する。
【０１０５】
前述した多様な領域で発生する弾性復元力を克服する外力が持続して加われば、図１４のように、第１支持部２１が第１角部１５を越え、第２支持部２２が第２角部１６を超えて、メガネつる２０が折り畳まれた状態に転換される。
【０１０６】
第１傾斜角は再びθ１に復元し、第２傾斜角も再びθ２に復元し、ヒンジ軸２３から第１支持部２１までの距離もｂからａに復元し、ヒンジ軸２３から第２支持部２２までの距離もｂからａに復元する。
【０１０７】
第１支持部２１は側面係止溝１２に密着して支持され、第２支持部２２は後面係止溝１４に密着して支持される。
【０１０８】
前述したメガネつる２０が第１角部１５及び第２角部１６を越える場合の弾性復元力が抵抗として作用する状況及びその抵抗を克服してメガネつる２０の状態が変わる状況は図１２の展開状態から図１４の折畳状態に変わる場合だけでなく、その逆の状況である図１４の折畳状態から図１２の展開状態に変わる場合にも同様に適用される。
【０１０９】
図１５（ａ）はメガネつる２０がメガネフレーム１０に挿合される前の状態、図１５（ｂ）〜１５（ｄ）はメガネつる２０がメガネフレーム１０に結合された状態で、メガネつる２０がメガネフレーム１０に支持される状態及びこのため支持力の方向を示す図である。
【０１１０】
図１５（ａ）に示すように、メガネつる２０がメガネフレーム１０に挿合される前の状態でヒンジ軸２３と第１支持部２１の間に一定の間隔α０が形成され、ヒンジ軸２３と第２支持部２２の間にも一定の間隔β０が形成される。
【０１１１】
この状態で、図１５（ｂ）のようにメガネつる２０がメガネフレーム１０に結合されれば、ヒンジ軸２３と第１支持部２１間の間隔が増加し（α１）、ヒンジ軸２３と第２支持部２２間の間隔も増加する（β１）。
【０１１２】
このようにヒンジ軸２３と第１支持部２１間の間隔及びヒンジ軸２３と第２支持部２２間の間隔が増加することは該当部分間で弾性変形が起こることを意味し、弾性変形による弾性復元力によってメガネつる２０がメガネフレーム１０に安定的に固定される。
【０１１３】
すなわち、その支持領域は、上述したように、ヒンジ軸２３が支持される領域と、第１支持部２１からヒンジ軸２３の方向に加わる弾性復元力によって支持される領域、つまり第１支持部２１とメガネフレーム１０の前面で支持される領域と、第２支持部２２からヒンジ軸２３の方向に加わる弾性復元力によって支持される領域、つまり第２支持部２２とメガネフレーム１０の側面で支持される領域とに区分することができる。すなわち、３個の領域でメガネつる２０がメガネフレーム１０に支持される。
【０１１４】
第１支持部２１からヒンジ軸２３の方向に加わる弾性復元力及び第２支持部２２からヒンジ軸２３の方向に加わる弾性復元力が合成して発生する合力をＦ１で現すことができ、その方向は、メガネを上側から見たとき、図１５（ｂ）のように、メガネフレーム１０の後面で斜めな方向に具現される（図面上で第２／４分面）。
【０１１５】
この状態で、図１５（ｃ）のようにメガネつる２０が折り畳まれる過程を経る場合、第１支持部２１が第１角部１５に接触すれば、第１支持部２１とヒンジ軸２３間の距離はもっと増加する（α１＋α２）。また、第２支持部２２が第２角部１６に接触すれば、第２支持部２２とヒンジ軸２３間の距離ももっと増加する（β１＋β２）。
【０１１６】
第１支持部２１からヒンジ軸２３の方向に加わる弾性復元力及び第２支持部２２からヒンジ軸２３の方向に加わる弾性復元力がもっと増加すること（Ｆ１＋Ｆ２）を意味し、増加した弾性復元力によってメガネつる２０のメガネフレーム１０に対する緊張状態が増加することになり、これによる合力の方向は図１５（ａ）の場合よりメガネフレームの内側にもっと向かう（図面上で２／４分面の方向）。
【０１１７】
上述したように、メガネつる２０を折り畳もうとする力が第１支持部２１からヒンジ軸２３の方向に加わる弾性復元力及び第２支持部２２からヒンジ軸２３の方向に加わる弾性復元力を克服することができなければ、第１支持部２１及び第２支持部２２が第１及び第２角部１５、１６を越えることができなくて元の位置に回帰し、これを克服すれば、第１及び第２角部１５、１６を超えて折畳方向に速かに移動する。これはメガネつる２０が折り畳まれた状態から広げられた状態に変わる場合に同様に適用される。
【０１１８】
図１５（ｄ）のように、第１支持部２１が第１角部１５を越え、第２支持部２２が第２角部１６を越えて折畳状態になれば、ヒンジ軸２３と第１支持部２１間の間隔が再び減少し（α１）、ヒンジ軸２３と第２支持部２２間の間隔も減少する（β１）。この場合、加わる弾性復元力の合力は再びＦ１になり、その方向は図１５（ｃ）のようにＦ１＋Ｆ２の方向よりメガネフレーム１０の前方にもっと向かうことになる（図面上で第３／４分面）
【０１１９】
メガネつる２０が折り畳まれた状態でも依然として第１支持部２１からヒンジ軸２３の方向に加わる弾性復元力と、第２支持部２２からヒンジ軸２３の方向に加わる弾性復元力が存在する。
【０１２０】
ヒンジ軸２３で支持する第１領域と、第１支持部２１からメガネフレーム１０の側方に力が加わる第２領域と、第２支持部２２からメガネフレーム１０の後方に加わる第３領域とがあるので、メガネつる２０はメガネフレーム１０に安定的に結合された状態を維持することができる。
【０１２１】
以上のように、本発明を図面に示した実施例に基づいて説明したが、これは本発明を説明するためのものであるだけ、本発明が属する技術分野の通常の知識を有する者であれば発明の詳細な説明から多様な変形又は均等な実施例が可能であることが理解可能であろう。
【０１２２】
したがって、本発明の真正な権利範囲は特許請求範囲の技術的思想によって決定されなければならない。
【図１】
2019530891.tif 000003
【図２】
2019530891.tif 000004
【図３】
2019530891.tif 000005
【図４】
2019530891.tif 000006
【図５】
2019530891.tif 000007
【図６】
2019530891.tif 000008
【図７】
2019530891.tif 000009
【図８】
2019530891.tif 000010
【図９】
2019530891.tif 000011
【図１０】
2019530891.tif 000012
【図１１】
2019530891.tif 000013
【図１２】
2019530891.tif 000014
【図１３】
2019530891.tif 000015
【図１４】
2019530891.tif 000016
【図１５】
2019530891.tif 000017
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
レンズが結合可能なメガネフレームと、
メガネフレームのヒンジ孔に回動可能に挿合されるヒンジ軸と、
前記ヒンジ軸の端部から一側に伸びる第１延長部と、
前記第１延長部の端部から上方に伸びる第２延長部と、
前記第２延長部と連結され、メガネフレームの前面又は側面に支持されることができる第１支持部と、
前記第１支持部から折り曲げられる形態で連結され、メガネフレームの側面又は後面に支持されることができる第２支持部と含み、
ヒンジ軸による第１領域での支持と、第２延長部及び第１支持部による第２領域での支持と、第２支持部による第３領域での支持がなされ、
前記メガネフレームは、前面部と、側面係止溝と、後面係止溝と、前面部と側面係止溝間の第１角部と、側面係止溝と後面係止溝間の第２角部とを備え、
ヒンジ軸の中心から前面部までの距離、ヒンジ軸の中心から側面係止溝までの距離、及びヒンジ軸の中心から後面係止溝までの距離は互いに同一であり、
ヒンジ軸中心から第１角部までの距離及びヒンジ軸中心から第２角部までの距離は互いに同一であり、
ヒンジ軸中心から第１角までの距離及びヒンジ軸中心から第２角までの距離がヒンジ軸の中心から前面部までの距離、ヒンジ軸の中心から側面係止溝までの距離、及びヒンジ軸の中心から後面係止溝までの距離より大きく形成され、
メガネつるを折り畳むか広げる場合、第１及び第２角部が抵抗として作用して、第１延長部の弾性ねじれ変形による弾性復元力及び第１支持部及び第２支持部間の間隔又は傾斜角の弾性変形による弾性復元力を引き起こすことを特徴とする、メガネ。
【請求項２】
前記ヒンジ軸と前記第２延長部は左右方向に互いに離隔するように形成され、
前記第１延長部と前記第１支持部は上下方向に互いに離隔するように形成され、
前記第１支持部と前記ヒンジ軸は前後方向に互いに離隔するように形成されることを特徴とする、請求項１に記載のメガネ。
【請求項３】
前記ヒンジ軸と前記第２延長部は互いに離隔して平行に配置され、
第２延長部は、メガネつるの回動時、第１延長部と前記第１支持部間のねじれに対する弾性抑制力又は弾性復元力を提供するトーションバーであることを特徴とする、請求項１に記載のメガネ。
【請求項４】
平面図上で第１延長部と前記第１支持部の間には第１傾斜角が形成され、
第１支持部と第２支持部の間には第２傾斜角が形成され、
前記第１延長部及び前記第２延長部間の弾性変形、前記第２延長部と前記第１支持部間の弾性変形、及び前記第１支持部と前記第２支持部間の弾性変形によって、前記第１傾斜角及び前記第２傾斜角がメガネつるを広げる過程又は折り畳む過程で一時変わることを特徴とする、請求項３に記載のメガネ。
【請求項５】
上下方向に配列されるヒンジ軸と、
前記ヒンジ軸の端部から一側に伸びる第１延長部と、
前記第１延長部の端部からヒンジ軸の延長方向と反対方向に伸びる第２延長部と、
前記第２延長部の一端部と連結され、第２延長部の延長方向と交差する方向に伸びる第１支持部と、
前記第１支持部から折り曲げられる形態で連結され、第１支持部より後方に伸びる方向に配置される第２支持部と含み、
ヒンジ軸による第１領域での支持と、第２延長部及び第１支持部による第２領域での支持と、第２支持部による第３領域での支持を具現することができ、
ヒンジ軸の中心から第１支持部までの距離及びヒンジ軸の中心から第２支持部までの距離は互いに同一であり、
ヒンジ軸中心から第１支持部及び第２支持部の折曲部までの距離がヒンジ軸の中心から第１支持部までの距離及びヒンジ軸の中心から第２支持部までの距離より大きく形成され、
メガネつるを折り畳むか広げる場合、第１支持部及び第２支持部が所定の係止可能な抵抗領域にかかるとき、第１延長部の弾性ねじれ変形による弾性復元力及び第１支持部及び第２支持部間の間隔又は傾斜角の弾性変形による弾性復元力が引き起こされることを特徴とする、メガネつる。
【請求項６】
前記ヒンジ軸と前記第２延長部は左右方向に互いに離隔するように形成され、
前記第１延長部と前記第１支持部は上下方向に互いに離隔するように形成され、
前記第１支持部と前記ヒンジ軸は前後方向に互いに離隔するように形成されることを特徴とする、請求項５に記載のメガネつる。
【請求項７】
前記ヒンジ軸と前記第２延長部は互いに離隔して平行に配置され、
第２延長部は、メガネつるの回動時、第１延長部と前記第１支持部間のねじれに対する弾性抑制力又は弾性復元力を提供するトーションバーであることを特徴とする、請求項５に記載のメガネつる。
【請求項８】
平面図上で第１延長部と前記第１支持部の間には第１傾斜角が形成され、
第１支持部と第２支持部の間には第２傾斜角が形成され、
前記第１延長部及び前記第２延長部間の弾性変形、前記第２延長部と前記第１支持部間の弾性変形及び前記第１支持部と前記第２支持部間の弾性変形によって、前記第１傾斜角及び前記第２傾斜角がメガネつるを広げる過程又は折り畳む過程で一時変わることを特徴とする、請求項７に記載のメガネつる。
【国際調査報告】
2019530891.tif 000018
2019530891.tif 000019
2019530891.tif 000020
2019530891.tif 000021